(57)【要約】【課題】  回折格子の押さえ方を安定させてその位置調整を精密に行うこと。【解決手段】  スライドベース３の格子孔６に回折格子ＧＲＴが配置され、該回折格子ＧＲＴの開放側端面１４に当接されるリング部８ａと、該リング部８ａの互いに１８０°離れた外周縁両端に一体突設されて各横溝１２から各縦孔１３に挿通される一対のアーム部８ｂと、該各アーム部８ｂの先端近傍から切り出されて起立枠４の裏面に係合される一対のストッパ片８ｃとから形成された押さえばね８が設けられ、該押さえばね８のリング部８ａの中心Ｏ３から両アーム部８ｂの中央を通る中心線Ｓに沿う該リング部８ａの両端部８Ａに対向する回折格子ＧＲＴの開放側端面１４に一対の横断面略半円形状の柱状体１７が一体形成され、該各柱状体１７にリング部８ａを中心線Ｓ上で線接触させている。【選択図】        図１
2009151846.tif 000002
【特許請求の範囲】
【請求項１】
ディスクの半径方向に沿って往復移動可能なスライドベースに起立枠が一体形成され、
該起立枠に、格子孔と、該格子孔の外周縁から互いに逆方向に延びる一対の横溝と、その
各横溝の奥端から起立枠を貫通する一対の縦孔とが形成され、前記格子孔に回折格子が配
置され、該回折格子を押さえるための押さえばねが設けられ、該押さえばねが、格子孔内
の回折格子の開放側端面に当接されるリング部と、該リング部の互いに１８０°離れた外
周縁両端に一体突設されて各横溝から各縦孔に挿通される一対のアーム部と、該各アーム
部の先端近傍から切り出されて起立枠の裏面に係合される一対のストッパ片とから形成さ
れており、前記各アーム部を弾性変位させることにより発生させた引張力でリング部を回
折格子の開放側端面に押し付け、該回折格子の位置を微調整した後、その回折格子を接着
剤により起立枠に固定し、レーザ光源から回折格子を通ってディスクにレーザ光を投射し
、その反射光を受光してディスクに記録されている情報を読み取るようにした光ピックア
ップにおいて、前記リング部の中心から両アーム部の中央を通る中心線に沿う該リング部
の両端部とその両端部に対向する回折格子の開放側端面との間に一対の介在部材が介在さ
れており、その両介在部材を介してリング部が回折格子の開放側端面に押し付けられてい
ることを特徴とする光ピックアップ。
【請求項２】
前記一対の介在部材が、回折格子の開放側端面に一体形成された横断面略半円形の柱状
体からなり、該各柱状体にリング部を前記中心線上で線接触させるようにしたことを特徴
とする請求項１に記載の光ピックアップ。
【請求項３】
前記一対の介在部材が、回折格子の開放側端面に一体形成された横断面略半円形の半球
体からなり、該各半球体にリング部を前記中心線上で点接触させるようにしたことを特徴
とする請求項１に記載の光ピックアップ。
【発明の詳細な説明】
【技術分野】
【０００１】
本発明は、ディスク装置（例えばＤＶＤレコーダやＤＶＤプレーヤなど）に使用される
光ピックアップに関し、特に、回折格子の押さえ方を安定させてその位置調整を精密に行
うことができるようにしたものである。
【背景技術】
【０００２】
ディスク装置として図７及び図８に示すものがあり、図７は同概略平面図、図８は同光
ピックアップの斜視図である。
【０００３】
図７及び図８に示すように、筐体１内に配置したディスクＤの半径方向に沿う左右一対
のガイドレール２にスライドベース３が往復移動ａ，ｂ可能に係合され、該スライドベー
ス３に一体形成した起立枠４に、フォトダイオードからなる読取用受光素子ＰＤ１及び光
量検知用受光素子ＰＤ２とレーザダイオードからなるレーザ光源ＬＤとが配置されると共
に、該起立枠４内に偏光ビームスプリッターＰＢＳやハーフミラーＨＭ及び対物レンズＯ
Ｌと回折格子ＧＲＴとが配置されている。
【０００４】
情報読取手順を説明すると、レーザ光源ＬＤからレーザ光ＬＤａを回折格子ＧＲＴ、偏
光ビームスプリッターＰＢＳ、ハーフミラーＨＭ及び対物レンズＯＬを通って高速回転す
るディスクＤに投射し、その反射光を対物レンズＯＬ、ハーフミラーＨＭ及び偏光ビーム
スプリッターＰＢＳを通して読取用受光素子ＰＤ１で受光してディスクＤに記録されてい
る情報を読み取る。また、光量検知用受光素子ＰＤ２によりレーザ光源ＬＤの投射光量を
検知し、その検知信号に基づいてディスク装置の制御部によりレーザ光源ＬＤの投射光量
を調整する。
【０００５】
従来の光ピックアップの要部を図９〜図１２に基づいて説明すると、図９（ａ）は同要
部の側面図、図９（ｂ）はＥ−Ｅ矢視図、図９（ｃ）はＦ−Ｆ矢視図、図１０は同要部の
分解斜視図、図１１（ａ）及び（ｂ）は同回折格子の固定手順を示す横断面図、図１２（
ａ）及び（ｂ）は同回折格子の固定状態を示す横断面図である。
【０００６】
図９及び図１０に示すように、起立枠４のレーザ光源ＬＤを配置するための基準端面４
ａに格子孔６が形成され、該格子孔６内に回折格子ＧＲＴが配置され、その回折格子ＧＲ
Ｔを格子孔６の貫通孔７付き底面６ａに押し付けるための押さえばね８が設けられている
。また、回折格子ＧＲＴの外周面に軸心Ｏ１に沿って凹溝９が形成されると共に、該凹溝
９に対向して起立枠４に凹部１０が形成されている。
【０００７】
図９及び図１０に示すように、前記基準端面４ａに格子孔６の外周縁から互いに逆方向
に延びる一対の横溝１２が形成され、該各横溝１２の奥端から起立枠４を貫通する一対の
縦孔１３が形成されている。
【０００８】
図９及び図１０に示すように、前記押さえばね８は、格子孔６内の回折格子ＧＲＴの開
放側端面１４に当接されるリング部８ａと、該リング部８ａの互いに１８０°離れた外周
縁両端に一体突設されて各横溝１２から各縦孔１３に挿通される一対の略コ字状アーム部
８ｂと、該各アーム部８ｂの先端近傍から切り出されて起立枠４の裏面に係合される一対
のストッパ片８ｃとから形成されており、各アーム部８ｂを弾性変位させて下向きの引張
力Ｆ１，Ｆ２を発生させ〔図９（ｂ）参照〕、その引張力Ｆ１，Ｆ２によりリング部８ａ
を回折格子ＧＲＴの開放側端面１４に押し付け、該回折格子ＧＲＴが不測に回転しないよ
うにする。
【０００９】
回折格子ＧＲＴの位置決め固定手順を説明すると、図１１（ａ）に示すように、操作軸
１５を起立枠４の凹部１０に差し込み、該操作軸１５の先端に一体突設した偏心軸１５ａ
を回折格子ＧＲＴの凹溝９に挿入し、操作軸１５を軸心Ｏ２回りで正逆回転させて、偏心
軸１５ａで凹溝９の内側面を押圧することにより、回折格子ＧＲＴを軸心Ｏ１回りで矢印
ｃ，ｄ方向に回転させて、その回折格子ＧＲＴを通るレーザ光ＬＤａが所望通りに分散さ
れるように微調整する。
【００１０】
続いて、図１１（ｂ）に示すように、接着剤充填器（図示せず）により凹部１０から凹
溝９にかけて紫外線硬化性接着剤ＵＶを充填し、紫外線を照射して、その紫外線硬化性接
着剤ＵＶを硬化させることにより、回折格子ＧＲＴを起立枠４に固定する。なお、本願発
明に関連する技術として特許文献１に記載したものがある。
【特許文献１】特開２００４−２２０３４号公報
【発明の開示】
【発明が解決しようとする課題】
【００１１】
上記従来の構成では、押さえばね８の両アーム部８ｂを弾性変位させることにより発生
した引張力Ｆ１，Ｆ２でリング部８ａの中心Ｏ３から両アーム部８ｂの中央を通る中心線
Ｓに沿う該リング部８ａの両端部８Ａ〔図９（ａ）参照〕を回折格子ＧＲＴの開放側端面
１４にほぼ均衡に面接触で押し付けるようになっている。
【００１２】
しかし、実際上、押さえばね８及び起立枠４の寸法誤差や歪みにより、両引張力Ｆ１，
Ｆ２の圧力値に不均衡が生じることがあり、これにより、図１２（ａ）に示すように、リ
ング部８ａが中心線Ｓに沿って小角度α傾いたり、図１２（ｂ）に示すように、リング部
８ａが中心線Ｓとは直交する方向に沿って小角度β傾くことがあり、これでは、リング部
８のどの部分が回折格子ＧＲＴに押し付けられているか分からず、押さえ方が不安定であ
る。
【００１３】
上記のように、回折格子ＧＲＴの押さえ方が不安定であると、その回折格子ＧＲＴを紫
外線硬化性接着剤ＵＶで固定したときに、その紫外線硬化性接着剤ＵＶの固化収縮により
、回折格子ＧＲＴが矢印ｃ，ｄのどちらの方向に位置ずれするか分からず〔図１１（ａ）
参照〕、また、環境試験（高低温度、高低湿度など）で紫外線硬化性接着剤ＵＶと回折格
子ＧＲＴとの熱膨張率の違いなどにより、その回折格子ＧＲＴが矢印ｃ，ｄのどちらの方
向に位置ずれするか分からない〔図１１（ａ）参照〕。
【００１４】
要するに、上記構成では、回折格子ＧＲＴの位置ずれ方向とその位置ずれ幅を予め予測
して修正することができないので、その回折格子ＧＲＴを通るレーザ光ＬＤａが所望通り
に分散されるように精密に設定することが困難である。
【００１５】
本発明は、上記従来の欠点に鑑み、回折格子の押さえ方を安定させてその位置調整を精
密に行うことができるようにした光ピックアップを提供することを目的としている。
【課題を解決するための手段】
【００１６】
上記目的を達成するため、請求項１に記載の発明は、ディスクの半径方向に沿って往復
移動可能なスライドベースに起立枠が一体形成され、該起立枠に、格子孔と、該格子孔の
外周縁から互いに逆方向に延びる一対の横溝と、その各横溝の奥端から起立枠を貫通する
一対の縦孔とが形成され、前記格子孔に回折格子が配置され、該回折格子を押さえるため
の押さえばねが設けられ、該押さえばねが、格子孔内の回折格子の開放側端面に当接され
るリング部と、該リング部の互いに１８０°離れた外周縁両端に一体突設されて各横溝か
ら各縦孔に挿通される一対のアーム部と、該各アーム部の先端近傍から切り出されて起立
枠の裏面に係合される一対のストッパ片とから形成されており、前記各アーム部を弾性変
位させることにより発生させた引張力でリング部を回折格子の開放側端面に押し付け、該
回折格子の位置を微調整した後、その回折格子を接着剤により起立枠に固定し、レーザ光
源から回折格子を通ってディスクにレーザ光を投射し、その反射光を受光してディスクに
記録されている情報を読み取るようにした光ピックアップにおいて、前記リング部の中心
から両アーム部の中央を通る中心線に沿う該リング部の両端部とその両端部に対向する回
折格子の開放側端面との間に一対の介在部材が介在されており、その両介在部材を介して
リング部が回折格子の開放側端面に押し付けられていることを特徴としている。
【００１７】
請求項２に記載の発明は、請求項１に記載の発明において、前記一対の介在部材が、回
折格子の開放側端面に一体形成された横断面略半円形の柱状体からなり、該各柱状体にリ
ング部を前記中心線上で線接触させるようにしたことを特徴としている。
【００１８】
請求項３に記載の発明は、請求項１に記載の発明において、前記一対の介在部材が、回
折格子の開放側端面に一体形成された横断面略半円形の半球体からなり、該各半球体にリ
ング部を前記中心線上で点接触させるようにしたことを特徴としている。
【発明の効果】
【００１９】
請求項１に記載の発明によれば、押さえばねのリング部の両端部が一対の介在部材を介
して回折格子に押し付けられており、その押し付け位置が一定していて、その押さえ方が
安定してしているから、接着剤の固化収縮や環境試験（高低温度、高低湿度など）による
回折格子の位置ずれ方向と位置ずれ幅とを予測することができる。従って、その予測に基
づいて回折格子の接着剤による固定前の位置調整を修正して、その回折格子を通るレーザ
光が所望通りに分散されるように精密に設定することができる。
【００２０】
請求項２に記載の発明によれば、リング部の中心から両アーム部の中央を通る中心線上
で該リング部の両端部が回折格子の各柱状体に線接触されているから、各アーム部の弾性
変位による引張力が各柱状体を介して回折格子に集中的に付加され、その回折格子を所定
通りに確実に押さえることができる。
【００２１】
請求項２に記載の発明によれば、リング部の中心から両アーム部の中央を通る中心線上
で該リング部の両端部が回折格子の各半球体に点接触されているから、各アーム部の弾性
変位による引張力が各半球体を介して回折格子に一層集中的に付加され、その回折格子を
所定通りに確実に押さえることができる。
【発明を実施するための最良の形態】
【００２２】
図１〜図３は本発明の第１の実施の形態である光ピックアップを示すものであって、図
１（ａ）は同要部の側面図、図１（ｂ）はＡ−Ａ矢視図、図１（ｃ）はＢ−Ｂ矢視図、図
２は同要部の分解斜視図、図３（ａ）及び（ｂ）は同回折格子の固定状態を示す横断面図
である。
【００２３】
図１〜図３に示すように、リング部８ａの中心Ｏ３から両アーム部８ｂの中央を通る中
心線Ｓに沿う該リング部８ａの両端部８Ａに対向する回折格子ＧＲＴの開放側端面１４に
一対の横断面略半円形状の柱状体（介在部材）１７が一体形成され、該各柱状体１７にリ
ング部８ａを中心線Ｓ上で線接触させている。上記以外の構成は図７〜図１１に示す構成
とほぼ同じであるから、同一部分に同一符号を付してその説明を省略する。
【００２４】
上記構成によれば、図３（ａ）及び（ｂ）に示すように、押さえばね８のリング部８ａ
の両端部８Ａが一対の柱状体１７を介して回折格子ＧＲＴに押し付けられており、その押
し付け位置が一定していて、その押さえ方が安定してしているから、紫外線硬化性接着剤
ＵＶの固化収縮や環境試験（高低温度、高低湿度など）による回折格子ＧＲＴの位置ずれ
方向と位置ずれ幅とを予測することができる。従って、その予測に基づいて回折格子ＧＲ
Ｔの紫外線硬化性接着剤ＵＶによる固定前の位置調整を修正して、その回折格子ＧＲＴを
通るレーザ光ＬＤａが所望通りに分散されるように精密に設定することができる。
【００２５】
また、リング部８ａの中心Ｏ３から両アーム部８ｂの中央を通る中心線Ｓ上で該リング
部８ａの両端部８Ａが回折格子ＧＲＴの各柱状体１７に線接触されているから、各アーム
部８ｂの弾性変位による引張力Ｆ１，Ｆ２が各柱状体１７を介して回折格子ＧＲＴに集中
的に付加され、その回折格子ＧＲＴを所定通りに確実に押さえることができる。
【００２６】
図４〜図６は本発明の第２の実施の形態である光ピックアップを示すものであって、図
４（ａ）は同要部の側面図、図４（ｂ）はＣ−Ｃ矢視図、図４（ｃ）はＤ−Ｄ矢視図、図
５は同要部の分解斜視図、図６（ａ）及び（ｂ）は同回折格子の固定状態を示す横断面図
である。
【００２７】
図４〜図６に示すように、リング部８ａの中心Ｏ３から両アーム部８ｂの中央を通る中
心線Ｓに沿う該リング部８ａの両端部８Ａに対向する回折格子ＧＲＴの開放側端面１４に
一対の横断面略半円形の半球体（介在部材）１８が一体形成され、該各半球体１８にリン
グ部８ａを中心線Ｓ上で線接触させている。上記以外の構成は図７〜図１１に示す構成と
ほぼ同じであるから、同一部分に同一符号を付してその説明を省略する。
【００２８】
上記構成によれば、図１〜図３に示す第１の実施の形態とほぼ同じ効果を得ることがで
き、特に、リング部８ａの中心Ｏ３から両アーム部８ｂの中央を通る中心線Ｓ上で該リン
グ部８ａの両端部８Ａが回折格子ＧＲＴの各半球体１８に点接触されているから、各アー
ム部８ｂの弾性変位による引張力Ｆ１，Ｆ２が各半球体１８を介して回折格子ＧＲＴに一
層集中的に付加され、その回折格子ＧＲＴを所定通りに確実に押さえることができる。
【００２９】
第１、第２の実施の形態では、回折格子ＧＲＴの開放側端面１４に介在部材である一対
の柱状体１７または半球体１８が一体形成され、その柱状体１７または半球体１８にリン
グ部８ａの両端部８Ａを接触させたが、これに限定されるわけではなく、上記とは逆に、
リング部８ａの両端部８Ａに介在部材を一体形成し、その介在部材に回折格子ＧＲＴの開
放側端面１４を接触させるようにしてもよい。
【図面の簡単な説明】
【００３０】
【図１】（ａ）は本発明の第１の実施の形態である光ピックアップを示す要部の側面図、（ｂ）はＡ−Ａ矢視図、（ｃ）はＢ−Ｂ矢視図である。
【図２】同要部の分解斜視図である。
【図３】（ａ）及び（ｂ）は同回折格子の固定状態を示す横断面図である。
【図４】（ａ）は本発明の第２の実施の形態である光ピックアップを示す要部の側面図、（ｂ）はＣ−Ｃ矢視図、（ｃ）はＤ−Ｄ矢視図である。
【図５】同要部の分解斜視図である。
【図６】（ａ）及び（ｂ）は同回折格子の固定状態を示す横断面図である。
【図７】ディスク装置を示す概略平面図である。
【図８】同光ピックアップの斜視図である。
【図９】（ａ）は従来例の要部の側面図、（ｂ）はＥ−Ｅ矢視図、（ｃ）はＦ−Ｆ矢視図である。
【図１０】同要部の分解斜視図である。
【図１１】（ａ）及び（ｂ）は同回折格子の固定手順を示す横断面図である。
【図１２】（ａ）及び（ｂ）は同回折格子の固定状態を示す横断面図である。
【符号の説明】
【００３１】
３        スライドベース
４        起立枠
４ａ      起立枠の基準端面
６        格子孔
８        押さえばね
８ａ      押さえばねのリング部
８ｂ      押さえばねのアーム部
８ｃ      押さえばねのストッパ片
８Ａ      リング部の端部
１２      横溝
１３      縦孔
１４      回折格子の開放側端面
１７      柱状体（介在部材）
１８      半球体（介在部材）
Ｏ３      リング部の中心
ＧＲＴ    回折格子
ＵＶ      紫外線硬化性接着剤
Ｓ        中心線
Ｄ        ディスク
ＬＤ      レーザ光源
【図１】
2009151846.tif 000003
【図２】
2009151846.tif 000004
【図３】
2009151846.tif 000005
【図４】
2009151846.tif 000006
【図５】
2009151846.tif 000007
【図６】
2009151846.tif 000008
【図７】
2009151846.tif 000009
【図８】
2009151846.tif 000010
【図９】
2009151846.tif 000011
【図１０】
2009151846.tif 000012
【図１１】
2009151846.tif 000013
【図１２】
2009151846.tif 000014